(57)【要約】【課題】衣類用金銭管理装置の設置者により高機能な衣類用金銭管理装置を提供すること。【解決手段】衣類用金銭管装置１９は、ユーザが金銭投入機３０に金銭を投入した場合に、金銭投入機３０から出力され衣類取扱機械１２へ入力される金銭投入信号を検出する第１信号検出部３３と、金銭投入機３０からの金銭投入信号が出力されていない時に、金銭投入信号と同一の働きをする疑似投入信号を衣類取扱機械１２へ出力する疑似投入信号出力部３５と、を有し、駐車券発券要求信号が入力された際に、駐車券発券信号を出力する。【選択図】図１
2017140142.tif 000002
【特許請求の範囲】
【請求項１】
ユーザが金銭投入機に金銭を投入した場合に、前記金銭投入機から出力され、衣類取扱機械へ入力される金銭投入信号を検出する信号検出部と、
前記金銭投入機からの金銭投入信号が出力されていない時に、金銭投入信号と同一の働きをする疑似投入信号を前記衣類取扱機械へ出力する疑似投入信号出力部と、を有し、駐車券発券要求信号が入力された際に、駐車券発券信号を出力する衣類用金銭管装置。
【請求項２】
前記信号検出部の検出の結果、所定の時間内に所定の金額以上であると判断した場合に、前記駐車券発券信号を出力する
請求項１に記載の衣類用金銭管装置。
【請求項３】
発券機を有し、
前記駐車券発券信号に基づき前記発券機に駐車券を発券させた場合には、
所定の時間の間、記載の衣類用金銭管理具からの前記駐車券発券信号を受けても、
前記発券機に駐車券を発券させない
請求項１又は２に記載の衣類用金銭管理装置。
【発明の詳細な説明】
【技術分野】
【０００１】
本発明は、衣類用金銭管理装置に関し、特にコインランドリー管理システムに用いられる衣類用金銭管理装置に関する。
【背景技術】
【０００２】
従来、コインランドリーを無人で営業したい、又は、２４時間の営業をしたい等の要望があった。
しかしながら、無人で２４時間営業にしたときの安全面に問題がある。
例えば、泥棒が入ったり、浮浪者に入られたりするなどの問題である。
また、無人で営業したときには、クレームの対応や返金の対応に遅れが生じ、手間がかかるという問題がある。
更に、コインランドリーの経営では、特定の顧客からの集金も手間がかかるものである。
【０００３】
そこで、コインランドリー管理システムとして、様々な提案がなされている。
例えば特許文献１〜４において、インターネットで常時接続されたネットワークカメラの撮影画像に基づいてコインランドリー利用者のクレーム対応を迅速且つ的確に行なえるコインランドリー管理システムを提案している。
更に、コインランドリー管理システムにおいて各種の情報を提供するタッチパネル装置を用いた情報提供システムも提案している。
【先行技術文献】
【特許文献】
【０００４】
【特許文献１】特開２００１−１２９３００号公報
【特許文献２】特開２００６−３５２１７９号公報
【特許文献３】特開２００７−２９６６６号公報
【特許文献４】特開２００８−２８９８９５号公報
【発明の概要】
【発明が解決しようとする課題】
【０００５】
しかしながら、上記の特許文献１〜４に記載されているコインランドリー管理システムは、コインランドリー利用者のクレーム対応を迅速に行い、少人数での２４時間の管理を実現することができるが、近隣に競合店があるなどの場合に、売り上げを増加させるために、駐車券の発券をすることができないという問題点がある。
【０００６】
本発明は、上記問題点に鑑みなされたものであり、衣類用金銭管理装置の設置者により高機能な衣類用金銭管理装置を提供することを目的とするものである。
【課題を解決するための手段】
【０００７】
本発明の衣類用金銭管理装置は、ユーザが金銭投入機に金銭を投入した場合に、前記金銭投入機から出力され、衣類取扱機械へ入力される金銭投入信号を検出する信号検出部と、前記金銭投入機からの金銭投入信号が出力されていない時に、金銭投入信号と同一の働きをする疑似投入信号を前記衣類取扱機械へ出力する疑似投入信号出力部と、を有し、駐車券発券要求信号が入力された際に、駐車券発券信号を出力する。
【０００８】
好適には、前記信号検出部の検出の結果、所定の時間内に所定の金額以上であると判断した場合に、前記駐車券発券信号を出力する。
【０００９】
好適には、発券機を有し、前記駐車券発券信号に基づき前記発券機に駐車券を発券させた場合には、所定の時間の間、前記衣類用金銭管理具からの前記駐車券発券信号を受けても、前記発券機に駐車券を発券させない。
【発明の効果】
【００１０】
本発明は上記問題点に鑑みなされたものであり、本発明によって衣類用金銭管理装置の設置者により高機能な衣類用金銭管理装置を提供することが可能となる。
【図面の簡単な説明】
【００１１】
【図１】本発明の本実施形態に係るコインランドリー管理システムの一実施例を示すネットワーク構成の説明図である。
【図２】本発明の本実施形態に係る衣類用金銭管理具を説明するブロック構成図である。
【図３】発券を行うか否かを判断する制御部での処理の説明図である。
【発明を実施するための形態】
【００１２】
以下、本発明の実施形態を以下説明する。
【００１３】
図１は本発明に係るコインランドリー管理システムの一実施例を示すネットワーク構成の説明図である。
図１に示すように、本発明に係るコインランドリー管理システム１０は、コインランドリー店舗１１に設置された複数の乾燥機や洗濯乾燥機等の衣類取扱機械１２と、この衣類取扱機械１２それぞれに１個毎設置された金銭投入機３０（図２）とを有している。
衣類取扱機械１２と金銭投入機３０は、第１信号線４１、第２信号線４２、ＧＮＤ線４３（図２）に接続よって接続されている。
また、衣類取扱機械１２と金銭投入機３０とを繋ぐ第１信号線４１、第２信号線４２、ＧＮＤ線４３（図２）の配線の途中に衣類用金銭管理装置１３が配設されている。
また、コインランドリー管理システム１０は、衣類用金銭管理装置１３が光回線１４を介してインターネット１５に常時接続している。
更に、管理者側１６に設置された端末装置１７（パーソナルコンピュータ１７−１、スマートフォン１７−２）は、光回線１４を介してインターネット１５に常時接続している。
加えて、インターネット１５及び光回線１４を介して、衣類用金銭管理装置１３とサーバ１８は常時接続されている。
サーバ１８は、例えば、記憶部３２（図２参照）及び制御部２１の記憶装置の内容を、バックアップのためなどに記憶している。
これによって、万一、衣類用金銭管理装置１３等が故障した場合などでも迅速に復旧が可能となる。
【００１４】
衣類用金銭管理装置１３は、金銭投入機３０（図２）と衣類取扱機械１２とを接続する第１信号線４１、第２信号線４２及びＧＮＤ線４３（図２）に接続された複数の衣類用金銭管理具１９を有している。
また、衣類用金銭管理装置１３は、複数の衣類用金銭管理具１９から一台の衣類用金銭管理具１９を選択して電気的に接続をするセレクタ部２０を有している。
更に、衣類用金銭管理装置１３は、複数の衣類用金銭管理具１９、セレクタ部２０を介して電気的に接続する制御部２１及びルータ２２を有している。
また、衣類用金銭管理装置１３は、集金ボタン２５を有している。
この集金ボタン２５が押された場合に、各衣類用金銭管理具１９又は制御部２１は、金銭投入に関する情報を集計する。
具体的には、金銭投入に関する情報とは、前回集金ボタン２５が押された後から、今回集金ボタン２５が押されるまでの間の、ユーザが現実に投入した現金の額、プリペードカードによる支払い額（図２のプリペードカード投入機４０参照）等である。
【００１５】
制御部２１は、複数の衣類用金銭管理具１９の各インタフェース部３８（図２）と電気的に接続されている。
制御部２１は、各インタフェース部３８からの、金銭投入情報の入力を受ける。
また、制御部２１は、インタフェース部３８へ、後述の疑似投入信号を出力させる疑似命令信号を出力する。
【００１６】
また、制御部２１は、情報通信網を通じて、他の端末装置に対して少なくとも金銭投入情報に関する情報を出力可能である。
金銭投入情報は実際にユーザが投入した金額である。
また、制御部２１は、最後にユーザによって金銭が投入された時刻などの情報を出力可能である。
更に、制御部２１は、疑似投入信号を出力したことによって、疑似的に発生させた金銭投入量に関する情報等を出力可能である。
【００１７】
更に、コインランドリー店舗１１には、制御部２１に図示しないネットワークカメラを接続し、光回線１４を介してインターネット１５に常時接続し、光回線１４で、ネットワークカメラの動画像データの送信を同時にすることができる。
なお、光回線は例であり、無線回線、ＬＡＮ回線、電話回線、その他、情報を通信することができるものであればどのようなものであってもよい。
【００１８】
衣類用金銭管理装置１３は、制御部２１に接続された発券機７１を有している。
発券機７１は、例えば、コインランドリー店舗１１の出入口付近に配置さている。
そして、この発券機７１からは、コインランドリー店舗１１の近郊に設置された駐車場の、駐車券を発券できる。
発券された駐車券は、所定の時間の間の駐車料金が無料となるために必要とされる券である。
なお、紙である必要はなく、例えば、コイン状のものであっても良い。
更に、発券機７１は、例えば、ユーザが既に所有している駐車券の磁気情報を書き換えるもの、又は、磁気情報を加えるものであってもよい。
【００１９】
各衣類用金銭管理具１９は、その衣類用金銭管理具１９が金銭の管理をするそれぞれの衣類取扱機械１２に後付で設置された駐車券発券要求機７０とそれぞれ電気的に接続されている。
駐車券発券要求機７０は、駐車券発券ボタン７２を有している（図２参照）。
駐車券発券要求機７０は、駐車券発券ボタン７２が押下された際に、駐車券発券要求信号を各衣類用金銭管理具１９に発信する。
制御部２１は、所定の条件を満たした場合に、発券機７１に駐車券発券信号を出力する。
この駐車券発券信号の入力を受けた発券機７１は、駐車券を発券する。
【００２０】
図２は、本発明の本実施形態に係る衣類用金銭管理具１９を説明するブロック構成図である。
【００２１】
衣類用金銭管理具１９は、ＣＰＵ３１と記憶部３２と第１信号検出部３３、５００円信号検出部３４、第２信号検出部３９、第３信号検出部３７、疑似投入信号出力部３５、ＧＮＤ３６、インタフェース部３８とを備えている。
第１信号検出部３３と疑似投入信号出力部３５は、金銭投入機３０に１００円硬貨が投入されたときにプリペードカード投入機４０を介して衣類取扱機械１２に１００円投入信号を送る第１信号線４１に接続されている。
５００円信号検出部３４は、金銭投入機３０に５００円硬貨が投入されたときにプリペードカード投入機４０を介して衣類取扱機械１２に５００円投入信号を送る第２信号線４２に接続されている。
ＧＮＤ３６は、ＧＮＤ線４３に接続されている。
また、取扱機械側第１信号線４１ｂからは、第１信号検出部３３への検出用信号線４５が接続されている。この検出用信号線４５は、第２信号検出部３９に接続されている。
ここで、第２信号検出部３９は、プリペードカード投入機４０による信号が発生したことを検出するためのものである。
最初に、ユーザが金銭投入機３０に硬貨を投入した場合には、第１信号線４１、取扱機械側第１信号線４１ｂの両方に信号が発生する。その場合、第１信号検出部３３、第２信号検出部３９の両方が信号を検出する。
これによって、衣類用金銭管理具１９は、ユーザが実際に金銭を投入したこと及びその量の情報を得ることが可能である。
他方、ユーザがプリペードカードを使用した場合、第１信号線４１には信号が発生せず、プリペードカード投入機４０から取扱機械側第１信号線４１ｂのみに信号（パルス）が発生する。
その結果、第２信号検出部３９のみが信号（パルス）を検出することができる。
衣類用金銭管理具１９は、プリペードカードによる支払いの有無とその額に関する情報を得ることが可能である。
ＣＰＵ３１は、これら情報を記憶部３２に記憶させる。
【００２２】
第１信号検出部３３、及び、５００円信号検出部３４は、ユーザが金銭投入機３０に金銭を投入した場合に、金銭投入機３０から出力され衣類取扱機械１２へ入力される金銭投入信号を検出する。
すなわち、第１信号検出部３３は、ユーザが金銭投入機３０に１００円硬貨を投入した場合に、金銭投入機３０から出力され第１信号線４１によって衣類取扱機械１２へ入力される１００円投入信号を検出する。
５００円信号検出部３４は、ユーザが金銭投入機３０に５００円硬貨を投入した場合に、金銭投入機３０から出力され第２信号線４２によって衣類取扱機械１２へ入力される５００円投入信号を検出する。
【００２３】
また、第１信号検出部３３は、１００円投入信号を受信した回数をカウントし、そのカウントした回数（１００円投入回数）をＣＰＵ３１は、記憶部３２に記憶させる。５００円信号検出部３４は、５００円投入信号を受信した回数をカウントし、そのカウントした回数（５００円投入回数）をＣＰＵ３１は、記憶部３２に記憶させる。
【００２４】
疑似投入信号出力部３５は、金銭投入機３０からの金銭投入信号が出力されていない時に、金銭投入信号と同一の働きをする疑似投入信号を衣類取扱機械１２へ出力する。
【００２５】
ここで、ＣＰＵ３１、記憶部３２及びインタフェース部３８は、衣類取扱機械１２の種類（メーカ、機種）に依存せず、どのような種類の機械であっても共通して使用する機種非依存部である。
他方、第１信号検出部３３、５００円信号検出部３４、第２信号検出部３９、疑似投入信号出力部３５及びＧＮＤ３６は、機種に依存して設計・製造される機種依存部である。
このように機種依存部が存在するのは、メーカや機種によって、例えば、金銭投入機３０から硬貨が投入された際に生ずるパルスの形状等が異なるからである。
【００２６】
インタフェース部３８は、第１信号検出部３３、５００円信号検出部３４、第２信号検出部３９が検出した情報を記憶部３２が記憶している情報である金銭投入信号に関する金銭投入情報を出力する。
例えば、インタフェース部３８は、制御部２１から要求された際に、記憶部３２に記憶されている１００円投入回数と５００円投入回数を制御部２１に出力する。
更に、例えば、インタフェース部３８は、制御部２１から要求された際に、記憶部３２に記憶されている、プリペードカード投入機によって発生させられた金銭の情報について制御部２１に出力する。
【００２７】
ＣＰＵ３１は、制御部２１からセレクタ部２０を介して送られる制御信号に基づいて、記憶部３２と第１信号検出部３３、５００円信号検出部３４、第２信号検出部３９と疑似投入信号出力部３５とＧＮＤ３６とインタフェース部３８の動作を制御する。
【００２８】
次に上記構成の本発明の本実施形態に係る衣類用金銭管理具１９と衣類用金銭管理装置１３を備えたコインランドリー管理システム１０での、割引のないときの動作を説明する。
【００２９】
ユーザがコインランドリー店舗１１で衣類取扱機械１２を使用するときは、使用されていない衣類取扱機械１２の金銭投入機３０に必要な枚数の硬貨を投入する。
例えば、６００円必要とすると、１００円硬貨１枚と５００円硬貨１枚をユーザは、金銭投入機３０に投入する。
そのとき、金銭投入機３０から第１信号線４１に１００円投入信号が出力される。１００円投入信号は、衣類取扱機械１２に入力されると同時に、対応する衣類用金銭管理具１９の第１信号検出部３３によって検出される。
また、金銭投入機３０から第２信号線４２に５００円投入信号が出力される。５００円投入信号は、衣類取扱機械１２に入力されると同時に、対応する衣類用金銭管理具１９の５００円信号検出部３４によって検出される。
衣類取扱機械１２は、使用するために必要な６００円分の投入信号が入力されたので、使用可能となり、ユーザは、その衣類取扱機械１２を使用することができるようになる。
【００３０】
一方、１００円投入信号を受信した第１信号検出部３３は、１００円投入信号を受信した回数を１回とカウントし、そのカウントした回数（１００円投入回数）をＣＰＵ３１が記憶部３２に記憶させる。
５００円投入信号を受信した５００円信号検出部３４は、５００円投入信号を受信した回数を１回とカウントし、そのカウントした回数（５００円投入回数）をＣＰＵ３１が記憶部３２に記憶させる。
【００３１】
インタフェース部３８は、制御部２１から出力命令がある場合に、記憶部３２に記憶された１００円投入回数１回と５００円投入回数１回を、セレクタ部２０を介して制御部２１に出力する。
制御部２１は、それらの複数の衣類取扱機械１２のそれぞれに対応する衣類用金銭管理具１９の記憶部３２に記憶された硬貨投入回数と硬貨が投入された時刻に関する情報を記憶する。その情報は、インターネット１５を経由して管理者側１６の端末装置１７（パーソナルコンピュータ１７−１、スマートフォン１７−２）によって取得することができる。
【００３２】
駐車券発券ボタン７２が押下された際に駐車券発券要求機７０が出力した駐車券発券要求信号は、第３信号検出部３７によって検出される。
検出された駐車券発券要求信号が出力されている旨の情報は、インタフェース部３８を介して制御部２１に出力される。
【００３３】
次に上記構成の本発明の本実施形態に係る衣類用金銭管理具１９と衣類用金銭管理装置１３を備えたコインランドリー管理システム１０での、割引をするときの動作を説明する。
【００３４】
まず、金銭投入機３０にＮ個（例えば３個）の１００円硬貨が投入されたとき、金銭投入機３０からは、第１信号線４１に１００円投入信号がＮ回（例えば３回）のパルスとして出力される。
そのとき、衣類用金銭管理具１９の第１信号検出部３３は、Ｎ回のパルスの１００円投入信号を検出する。
ＣＰＵ３１は、記憶部３２に予め記憶された金銭投入信号の検出回数に対する疑似投入信号の出力回数の関係に従って、疑似投入信号出力部３５を制御し、Ｍ回の疑似投入信号のパルス（例えば２回）を、取扱機械側第１信号線４１ｂを介して衣類取扱機械１２に出力する。
これにより、衣類取扱機械１２には、第１信号線４１から（Ｎ＋Ｍ）回（上記の例では５回）の１００円投入信号が入力されることになり、（Ｎ＋Ｍ）×１００円分の利用ができることになる。
すなわち、上記の例では、３００円の投入で５００円分の利用ができる。
なお、Ｍ回の疑似投入信号のパルスは、所定の時間（例えば３分程度）の間に、１回のみ発生させる構成としてもよいし、複数回発生させてもよい。ここで、複数回発生させる場合とは、Ｎ回のパルスの後にＭ回のパルスを発生させた後に、更に、ユーザによって金銭が投入されたＮパルスがあった場合に、再度Ｍ回のパルスを発生する場合である。更に、Ｎ回のパルスがあれば、何度でもＭ回のパルスを発生させる場合である。
なお、例えば３分としたのは、その間であれば、たとえユーザが両替等で金銭の投入が遅れてしまった場合であっても、ユーザが金銭の投入を完了すると考えられるからである。ここで、あまり長い時間をとってしまうと、関係ない次の利用者へ割引がなされてしまう恐れがあるので、３分程度が適切である。
【００３５】
上記の金銭投入信号の検出回数Ｎと疑似投入信号の出力回数Ｍとの関係は、制御部２１によって設定可能であり、制御部２１の命令により、衣類用金銭管理具１９の記憶部３２に金銭投入信号の検出回数Ｎと疑似投入信号の出力回数Ｍが記憶される。また、記憶部３２には、割引を実行するための制御プログラムが記憶されており、ＣＰＵ３１は、その制御プログラムを実行することにより、衣類用金銭管理具１９の各装置の動作を制御する。また、金銭投入信号の検出回数Ｎと疑似投入信号の出力回数Ｍとの関係は、管理者側１６の端末装置１７（パーソナルコンピュータ１７−１、スマートフォン１７−２）から制御部２１への操作により設定可能である。
【００３６】
衣類用金銭管理具１９は、情報通信網に接続された他の端末装置１７（パーソナルコンピュータ１７−１、スマートフォン１７−２）による操作によって、疑似投入信号を衣類取扱機械１２へ出力することにより、割引をすることもできる。
【００３７】
上記の割引は、曜日、時間帯から機種個別で設定することができ、柔軟な割引が可能となる。また、総額いくら以上の場合に、割引などすることも可能となる。
【００３８】
図３は、発券を行うか否かを判断する制御部２１での処理の説明図である。
【００３９】
ステップＳ１０１において、駐車券発券ボタン７２の押下があったか否か判断する。
具体的には、制御部２１は、駐車券発券要求機７０が出力した駐車券発券要求信号の有無を判断する。
そして、駐車券発券ボタン７２の押下があるとステップＳ１０３に移行する。
他方、駐車券発券ボタン７２の押下がないと、ステップＳ１０１の処理を繰り返す。つまり、駐車券発券ボタン７２の押下がなされるまで待機することになる。
【００４０】
ステップＳ１０３において、衣類取扱機械１２毎に、それぞれ直近５分間の間に駐車券の発券を行っているか否か判断する。
具体的には、制御部２１は、各衣類取扱機械１２の情報と関連付けられた直近の発券時間を参照して、その直近の発券時間が現在の時間よりも５分前以上であれば、ステップＳ１０５に移行する。
他方、５分以内であれば、ステップＳ１０１の処理に戻る。
この処理は、ユーザが何度も駐車券を得ることを防止するためである。
【００４１】
ステップＳ１０５において、その直近の売上額を要求する。
ステップＳ１０７において、その直近の売上額が所定値以上か判断する。
具体的には、制御部２１は、売上額が所定値以上の場合には、ステップＳ１０９に移行する。
他方、所定値未満であれば、ステップＳ１０１の処理に戻る。
この処理は、所定のコインの投入がない場合に、駐車券を発券する必要が無いから、これを排除するためである。
【００４２】
ステップＳ１０９において、駐車券発券信号を発券機７１に対して出力する。
ステップＳ１１１において、駐車券を発券した時刻を、各衣類取扱機械１２の情報と関連付けて記憶する。
その後、ステップＳ１０１の処理に戻る。
【００４３】
以上の説明図では、制御部２１で全ての処理を行っていたが、他の部分（例えば、衣類用金銭管理具１９、インターネット上の他のサーバ等）で行っても良い。
特に、直近５分間の売上（ステップＳ１０５で要求される）は、衣類用金銭管理具１９が管理することが望ましい。なぜなら、制御部２１でこの部分まで行うと、処理が追いつかない場合がありえ、衣類取扱機械１２毎に設けられる衣類用金銭管理具１９で管理することが望ましいからである。
【００４４】
＜実施形態の構成及び効果＞
衣類用金銭管理装置１３は、ユーザが金銭投入機３０に金銭を投入した場合に、金銭投入機３０から出力され衣類取扱機械１２へ入力される金銭投入信号を検出する第１信号検出部３３と、金銭投入機３０からの金銭投入信号が出力されていない時に、金銭投入信号と同一の働きをする疑似投入信号を衣類取扱機械１２へ出力する疑似投入信号出力部３５と、を有し、駐車券発券要求信号が入力された際に、駐車券発券信号を出力する。
このような構成を有することから、衣類用金銭管理装置の設置者により高機能な衣類用金銭管理装置を提供することを目的とするものである。
より具体的には、ユーザに駐車料金を無料又は割り引く駐車券を発券することが可能となり、よりユーザにコインランドリーを利用してもらえるようになる。
【００４５】
好適には、第１信号検出部３３の検出の結果、所定の時間内に所定の金額以上であると判断した場合に、駐車券発券信号を出力する。
このような構成を有することから、所定の金額以上を使用したユーザのみに駐車券のサービスを提供することが可能となる。
【００４６】
好適には、発券機７１を有し、駐車券発券信号に基づき発券機７１に駐車券を発券させた場合には、所定の時間の間、衣類用金銭管理具１９からの駐車券発券信号を受けても、発券機７１に駐車券を発券させない。
このような構成を有することから、同じユーザに何度も駐車券を発券しないことが可能となる。
【００４７】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
また、制御の判断を行う場所は、分散していても構わない。更に制御は、例えば、ネットワークのサーバ等で行っても構わない。
【００４８】
＜定義部＞
なお、本発明において、衣類取扱機械の一例が、洗濯機、乾燥機、乾燥機能付き洗濯機である。つまり、衣類取扱機械は、衣類を取り扱うものであればどのようなものであってもよい。
【符号の説明】
【００４９】
１０      ：コインランドリー管理システム
１１      ：コインランドリー店舗
１２      ：衣類取扱機械
１３      ：衣類用金銭管理装置
１９      ：衣類用金銭管理具
２０      ：セレクタ部
２１      ：制御部
２４      ：読み取り部
３０      ：金銭投入機
３３      ：第１信号検出部（信号検出部）
３４      ：５００円信号検出部
３５      ：疑似投入信号出力部
３７      ：第３信号検出部
３８      ：インタフェース部
３９      ：第２信号検出部
４１      ：第１信号線
４１ｂ    ：取扱機械側第１信号線
４２      ：第２信号線
４３      ：ＧＮＤ線
４５      ：検出用信号線
７０      ：駐車券発券要求機
７１      ：発券機
７２      ：駐車券発券ボタン
【図１】
2017140142.tif 000003
【図２】
2017140142.tif 000004
【図３】
2017140142.tif 000005